(57)【要約】【課題】釣針に取付けた餌が沈む速度を調整でき、しかも、餌が沈んでいる途中で魚が餌を食った場合であっても、その反応を釣用うきに伝達して魚を釣るのに使用する釣用うきの取付け装置を提供することを目的とする。【解決手段】釣糸１１を挿通する主パイプ１２と、主パイプ１２の中央部分にその取付け位置を主パイプ１２の長さ方向に調整可能に設けられ、釣用うき１３の下端取付け金具１４に連結可能な装着具１５を備える釣用うき固定手段１６とを有する。【選択図】図１
0003099451.tif 000002
【実用新案登録請求の範囲】
【請求項１】
釣糸を挿通する主パイプと、該主パイプの中央部分にその取付け位置を前記主パイプの長さ方向に調整可能に設けられ、釣用うきの下端取付け金具に連結可能な装着具を備える釣用うき固定手段とを有することを特徴とする釣用うきの取付け装置。
【請求項２】
請求項１記載の釣用うきの取付け装置において、前記主パイプは樹脂製であって、前記釣用うき固定手段は、下部リング内を前記主パイプが挿通し前記装着具を構成するスナップ付きサルカンと、前記主パイプがその内部を挿通し前記スナップ付きサルカンの下部リングの両側に配置された硬質部材からなる第１、第２のビーズ玉と、前記主パイプがその内部を挿通し前記第１、第２のビーズ玉を両側から挟むように配置されて、前記下部リングの自由移動を止める第１、第２の位置調整部材とを有することを特徴とする釣用うきの取付け装置。
【請求項３】
請求項１記載の釣用うきの取付け装置において、前記主パイプの両側には、前記釣用うき固定手段が該主パイプから抜けるのを防止する第１、第２のストッパー部材が設けられていることを特徴とする釣用うきの取付け装置。
【請求項４】
請求項２記載の釣用うきの取付け装置において、前記主パイプの両側には、前記釣用うき固定手段が該主パイプから抜けるのを防止する第１、第２のストッパー部材が設けられていることを特徴とする釣用うきの取付け装置。
【請求項５】
請求項４記載の釣用うきの取付け装置において、前記主パイプにはパイプ状の重りが、該主パイプの長さ方向に偏心して配置されていることを特徴とする釣用うきの取付け装置。
【請求項６】
請求項５記載の釣用うきの取付け装置において、前記主パイプの内径は０．６〜２．５ｍｍ、全長が５０〜８０ｍｍで、前記第１、第２のビーズ玉はその色彩が異なることを特徴とする釣用うきの取付け装置。
【考案の詳細な説明】
【０００１】
【考案の属する技術分野】
本考案は、海や湖等で魚を釣る場合に使用し、釣糸（道糸とも呼ばれる）に釣用うきを装着するための釣用うきの取付け装置に関する。
【０００２】
【従来の技術】
図３には、従来の固定うき用の釣用仕掛け５０を示すが、釣糸５１と、釣糸５１に固定される釣用うき５２と、釣糸５１の先部に取付けられる重り５３と、サルカン５４及びハリス（細い釣糸）５５を介して釣糸５１の先端に取付けられる釣針５６とを有している。そして、釣糸５１への釣用うき５２の固定は、釣用うき５２の下部に装着されるゴム管５７を介して行われる。このような、釣用仕掛け５０においては、釣針５６に餌５８を付けて海に入れると、重り５３の重力によって釣針５６及び餌５８が海中に沈む。なお、サルカンとは上下対となる金属製リングが金属製の楕球状物によって回動自在に連結されているもので、「ヨリモドシ」又は「スイベル」とも呼ばれ、例えば、非特許文献１の７４頁、特許文献１、特許文献２に記載されている。
【０００３】
また、従来の移動うき用の釣用仕掛け６０の代表例を図４に示すが、釣糸５１と、釣糸５１が挿通する環状の下端取付け金具６１が設けられた釣用うき６２とを有している（非特許文献１の１４３頁参照）。なお、他の部分については、図３に示す釣用仕掛け５０と実質的に同一であるので、同じ符号を用いてその説明を省略する。そして、下端取付け金具６１を挿通している釣糸５１には小径（２〜５ｍｍ）のプラスチック製の小球（一般にシモリと呼ばれる）６３、６４が設けられ、釣糸５１の所定箇所にはストッパー６５が設けられている。従って、この釣用仕掛け６０において、仕掛けを投入するときは、釣用うき６２は釣糸５１の先部に位置するが、仕掛けを投入して着水すると、重り５３によって餌５８の付いた釣針５６が徐々に沈んでいき、下端取付け金具６１及び小球６３がストッパー６５の位置まで移動した時点で、仕掛けの投入が完了する。
なお、非特許文献１には、これらの釣用仕掛け５０、６０についての解説がある。
【０００４】
【特許文献１】
特許第３２０３４８１号公報
【特許文献２】
特開平５−１０３５７０号公報
【非特許文献１】
宮城鮭介著「最新つり入門」成美堂出版、１９９２年４月２０日発行、ｐ．７４、ｐ．１４３
【０００５】
【考案が解決しようとする課題】
しかしながら、以上の釣用仕掛け５０、６０においては、釣用うき５２、６２の下部に位置する釣糸５１が垂直状態になって、餌５８の付いた釣針５６が所定の深さまで達しなければ、釣針５６に設けられた餌５８を食する魚の反応が伝わらないという問題がある。
勿論、釣用仕掛け６０においては、下端取付け金具６１及び小球６３と釣糸５１との摩擦があるので、魚が餌５８を食して急速に下降すると釣用うき６２に当たり反応が出るが、その他の場合、餌５８の付いた釣針５６が沈んでいる途中で魚が食するのを釣用うき５２、６２に反応させることは困難であった。
本考案はかかる事情に鑑みてなされたもので、釣針に取付けた餌が沈む速度を調整でき、しかも、餌が沈んでいる途中で魚が餌を食った場合であっても、その反応を釣用うきに伝達して、魚を釣るのに使用する釣用うきの取付け装置を提供することを目的とする。
【０００６】
【課題を解決するための手段】
前記目的に沿う第１の考案に係る釣用うきの取付け装置は、釣糸を挿通する主パイプと、該主パイプの中央部分にその取付け位置を前記主パイプの長さ方向に調整可能に設けられ、釣用うきの下端取付け金具に連結可能な装着具を備える釣用うき固定手段とを有する。この釣用うきの取付け装置においては、釣用うきの下端取付け金具に連結可能な釣用うき固定手段が、主パイプの長さ方向に調整可能に設けられているので、この装着具の位置を変えることによって、釣用うきの軸心に対する主パイプの角度が変わり、これによって、釣用うきの釣糸の滑り度合いが変わる。従って、魚によって異なる微妙な当たりを検知することができる。
【０００７】
第２の考案に係る釣用うきの取付け装置は、第１の考案に係る釣用うきの取付け装置において、前記主パイプは樹脂製であって、前記釣用うき固定手段は、下部リング内を前記主パイプが挿通し前記装着具を構成するスナップ付きサルカンと、前記主パイプがその内部を挿通し前記スナップ付きサルカンの下部リングの両側に配置された硬質部材からなる第１、第２のビーズ玉と、前記主パイプがその内部を挿通し前記第１、第２のビーズ玉を両側から挟むように配置されて、前記下部リングの自由移動を止める第１、第２の位置調整部材とを有する。スナップ付きサルカンの下部リングの両側に第１、第２のビーズ玉を配置することによって、主パイプが挿通しているスナップ付きサルカンの首振りが容易となる。そして、第１、第２の位置調整部材を主パイプに沿って移動させることによって、釣用うきの軸心に対する主パイプの角度を変えることができる。なお、ここで、スナップ付きサルカンとは通常「スナップサルカン」と称されるもので、サルカンの片側に、取付けようとする他のリングを取り外し可能なスナップが設けられているものであり、例えば実公平０６−０１０７８３号公報にも記載されている。
【０００８】
第３、第４の考案に係る釣用うきの取付け装置は、それぞれ第１、第２の考案に係る釣用うきの取付け装置において、前記主パイプの両側には、前記釣用うき固定手段が該主パイプから抜けるのを防止する第１、第２のストッパー部材が設けられている。これによって、釣用うきの取付け装置が不用意に分解することがない。
【０００９】
第５の考案に係る釣用うきの取付け装置は、第４の考案（第１〜第３の考案にも適用可能）に係る釣用うきの取付け装置において、前記主パイプにはパイプ状の重りが、該主パイプの長さ方向に偏心して配置されている。これによって、主パイプの角度を更に積極的に調整できる。例えば、このパイプ状の重りが釣竿側にくるように、釣糸を主パイプ内に挿通すると、重り（例えば、丸玉）、釣針、餌が設けられている側の釣糸に対して、このパイプ状の重りがバランサーとして働き、主パイプをより水平に保つことができる。
【００１０】
第６の考案に係る釣用うきの取付け装置は、第５の考案に係る釣用うきの取付け装置において、前記主パイプの内径は０．６〜２．５ｍｍ、全長が５０〜８０ｍｍで、前記第１、第２のビーズ玉はその色彩が異なっている。これによって、主パイプが釣糸に対して適当な抵抗となる。
【００１１】
【考案の実施の形態】
続いて、添付した図面を参照しつつ、本考案を具体化した実施の形態につき説明し、本考案の理解に供する。
ここに、図１は本考案の一実施の形態に係る釣用うきの取付け装置の使用状態を示す斜視図、図２は同断面図である。
【００１２】
本考案の一実施の形態に係る釣用うきの取付け装置１０は、釣糸１１を挿通する硬質樹脂（例えば、ポリプロピレン、ＡＢＳ、ポリカーボネイト、塩化ビニール、ナイロン）製の主パイプ１２と、主パイプ１２の中央部分（正確には、両端部分を除く残りの部分をいう）に、その取付け位置を主パイプ１２の長さ方向に調整可能に設けられ、釣用うき１３の下端取付け金具１４に連結可能な装着具の一例であるスナップ付きサルカン１５を備える釣用うき固定手段１６とを有する。なお、主パイプ１２は比重が海水と同一か又は海水より０．０１〜０．２程度重いように、調整されているのが好ましい。比重の調整は樹脂に微粉充填物を入れることによって達成できる。主パイプ１２の内径は０．６〜２．５ｍｍ程度で、厚みは０．５〜１ｍｍ程度となっており、その全長は５０〜８０ｍｍ程度である。なお、パイプの全長がこれより長い場合又は短い場合、あるいはその他の部分の寸方が異なる場合であっても本考案は適用される。
【００１３】
そして、釣用うき固定手段１６は、下部リング１７内を主パイプ１２が挿通する前記したスナップ付きサルカン１５と、主パイプ１２がその内部を挿通しスナップ付きサルカン１５の下部リング１７の両側に配置された硬質部材からなる第１、第２のビーズ玉１８、１９と、主パイプ１２がその内部を挿通し第１、第２のビーズ玉１８、１９を両側から挟むように配置されて、下部リング１７の自由移動を止める第１、第２の位置調整部材の一例である第１、第２の位置決めパイプ２０、２１とを有する。ここで、スナップ付きサルカン１５は全体が、防食処理された鋼、又はステンレスによって構成されている。また、第１、第２のビーズ玉１８、１９は耐摩耗性を有する硬質プラスチック又はガラスによって構成され、更に、第１、第２のビーズ玉１８、１９の色彩は異なって、例えば、青と緑となっている。なお、スナップ付きサルカン１５は、市販のスナップ付きサルカン８号を使用するのが好ましい。
【００１４】
位置決めパイプ２０、２１は、主パイプ１２と同質の材料からなって、主パイプ１２の外側に密接嵌合し、少しの力では移動しないようになっているが、十分強い力を主パイプ１２の軸方向に加えると、位置決めパイプ２０、２１が移動し、主パイプ１２の途中に取付けているスナップ付きサルカン１５及び第１、第２のビーズ玉１８、１９の取付け位置を変えることができるようになっている。なお、位置決めパイプ２０、２１の外径はパイプの外径より１〜３ｍｍ程度大きく、その全長は、３〜５ｍｍ程度が好ましい。
【００１５】
また、釣用うき固定手段１６が主パイプ１２から抜けるのを防止する第１、第２のストッパー部材の一例である短管２２、２３が主パイプ１２の両端に設けられている。この短管２２、２３の外径は、主パイプ１２の外径より１〜３ｍｍ程度大きく、その全長は４〜７ｍｍ程度が好ましく、主パイプ１２に接着剤で固定されている。
【００１６】
前記した主パイプ１２の中間位置には、図１、図２に示すように、パイプ状の重り２４が、主パイプ１２の長さ方向に偏心して配置されている。このパイプ状の重り２４は直径が、例えば、主パイプ１２より０．２〜１ｍｍ程度大きく、その長さは例えば、６〜１０ｍｍ程度となっている。この重り２４はバランサーとなるもので、図１に示すように、主パイプ１２に釣糸１１を挿通する場合には、釣竿２５側に位置させる。これによって、重り２６（鉛製の丸玉）、サルカン（連結金具）２７及び釣針２８が付いた仕掛け３０が水中に沈む場合、スナップ付きサルカン１５を支点として、短管２２側が下がり、主パイプ１２の水平面に対する上向き角度α（図１参照）が大きくなるのを防止し、主パイプ１２がより水平になるようにしている。
【００１７】
従って、この釣用うきの取付け装置１０を使用する場合には、第１、第２の位置決めパイプ２０、２１を調整して、スナップ付きサルカン１５の位置を決め（図１の例では、主パイプ１２の中心位置を基準にして短管２２側に少し移動している）、主パイプ１２内に釣糸１１を挿通し、釣糸１１の先部に重り２６及びサルカン２７を固定する。そして、サルカン２７に適当長さの細い釣糸（一般にハリスと称される）２９を介して釣針２８を取付け、釣針２８に餌を付ける。
そして、これらを釣竿２５を使って海等の所定の釣りのポイントに投入する。釣用うき１３が着水すると、釣用うき１３の下部に付いている釣用うきの取付け装置１０が海水の比重より僅少の範囲で大きいので、直ぐに釣用うき１３が直立し、重り２６が沈み始める。この場合、主パイプ１２内を挿通する釣糸１１が抵抗となって重り２６以下の仕掛け（餌の付いた釣針２８を含む）３０が徐々に沈降することになる。
【００１８】
そして、この場合の仕掛け３０の沈降速度は、主パイプ１２の水平面に対する角度によって変化する。即ち、主パイプ１２の水平面に対する上向き角度αが大きい場合には、主パイプ１２から出た釣糸１１の曲がりが少ないので、主パイプ１２による抵抗が少なく、水平面に近づくにつれて釣糸１１に対する主パイプ１２の滑り抵抗が大きくなる。そして、水平面からマイナス側に主パイプ１２が傾く、即ち、水平面に対する上向き角度αが負になると、更に釣糸１１の抵抗が大きくなって、仕掛け３０はゆっくり沈むことになる。
【００１９】
ここで、魚が餌を食して移動した場合、例えば、餌の沈降速度より魚の下方移動速度が大きい場合、釣用うき１３に魚信反応が生じる。
なお、仕掛け３０の沈降速度を魚によって変えるために、第１、第２の位置決めパイプ２０、２１の位置を変えることによって、主パイプ１２の水中での傾斜角度（α）を調整することができる。勿論、主パイプ１２の傾斜角度は重り２６を含む仕掛け３０の重さと密接な関係があるので、双方を調整することによって行うことになるが、一旦、仕掛け３０を作成した後は、第１、第２の位置決めパイプ２０、２１の位置を変えることによって仕掛け３０の沈降速度を調整できることになる。
なお、この釣用うきの取付け装置１０の上流側（即ち、釣竿側）の釣糸１１にストッパー（例えば、糸を結ぶ等）を設けて、釣糸１１が所定長さ以上主パイプ１２内を挿通しないようにすることは当然可能であり、これによって、仕掛け３０を最終的に所定の深さの水中に維持させることができる。
【００２０】
前記実施の形態においては、理解を容易にするため、具体的な寸法を用いて説明したが、本考案は本考案の要旨を変更しない範囲で、その寸法や材質を変えることはできる。
また、前記実施の形態においては、主パイプは固定長さを有していたが、例えば、二重構造にして伸縮できるようにしてもよい。
【００２１】
【考案の効果】
請求項１〜６記載の釣用うきの取付け装置は、以上の説明からも明らかなように、釣用うきの下端取付け金具に連結可能な釣用うき固定手段が、主パイプの長さ方向に調整可能に設けられているので、この釣用うき固定手段の位置を変えることによって、釣用うきの軸心に対する主パイプの角度が変わる。これによって、主パイプ内を挿通する釣用うきの釣糸の滑り度合いが変わり、餌の付いた釣針や重りを含む仕掛けの沈み度合いを対象魚によって調整することができる。
そして、魚によって変わる餌の食し方に対する微妙な当たりを、釣用うきに魚信として伝えることができる。
【００２２】
特に、請求項２記載の釣用うきの取付け装置は、主パイプは樹脂製であって、釣用うき固定手段は、下部リング内を主パイプが挿通するスナップ付きサルカンと、主パイプがその内部を挿通しスナップ付きサルカンの下部リングの両側に配置された硬質部材からなる第１、第２のビーズ玉と、主パイプがその内部を挿通し第１、第２のビーズ玉を両側から挟むように配置されて、下部リングの自由移動を止める第１、第２の位置調整部材とを有するので、スナップ付きサルカンの首振りが容易となる。
そして、第１、第２の位置調整部材を主パイプに沿って移動させることによって、釣用うきの軸心に対する主パイプの角度を変えることができ、釣用うき固定手段の主パイプに対する位置決めを簡単に行うことができる。
【００２３】
請求項３、請求項４記載の釣用うきの取付け装置は、主パイプの両側には、釣用うき固定手段が主パイプから抜けるのを防止する第１、第２のストッパー部材が設けられているので、釣用うきの取付け装置が不用意に分解することがなく、安全に釣りを楽しむことができる。
【００２４】
請求項５記載の釣用うきの取付け装置においては、主パイプにはパイプ状の重りが、主パイプの長さ方向に偏心して配置されている。このパイプ状の重りがバランサーとなって、主パイプの釣用うきの軸心に対する角度を積極的に調整できる。
【００２５】
そして、請求項６記載の釣用うきの取付け装置は、主パイプの内径は０．６〜２．５ｍｍ、全長が５０〜８０ｍｍで、第１、第２のビーズ玉はその色彩が異なっている。これによって、主パイプが釣糸に対して適当な抵抗となり、実際の海や川での釣りに適した実用的な大きさとなる。
【図面の簡単な説明】
【図１】本考案の一実施の形態に係る釣用うきの取付け装置の使用状態を示す斜視図である。
【図２】同断面図である。
【図３】従来例に係る釣用仕掛けの説明図である。
【図４】従来例に係る釣用仕掛けの説明図である。
【符号の説明】
１０：釣用うきの取付け装置、１１：釣糸、１２：主パイプ、１３：釣用うき、１４：下端取付け金具、１５：スナップ付きサルカン、１６：釣用うき固定手段、１７：下部リング、１８：第１のビーズ玉、１９：第２のビーズ玉、２０：第１の位置決めパイプ、２１：第２の位置決めパイプ、２２、２３：短管、２４：重り、２５：釣竿、２６：重り、２７：サルカン、２８：釣針、２９：釣糸、３０：仕掛け
【図１】
0003099451.tif 000003
【図２】
0003099451.tif 000004
【図３】
0003099451.tif 000005
【図４】
0003099451.tif 000006